(57)【要約】【課題】撮像機器においてユーザ個人やその嗜好、或いは状況に応じて、撮像機能等を変化させる。【解決手段】ユーザが撮像システムを用いて画像撮像を行う際に、そのユーザ個人の識別結果、日時、場所、ユーザ選択、ユーザの身体や感情の状況などにより、設定情報が選択され、選択された設定情報に基づいて撮像動作設定が行われる。設定情報とは、撮像動作に関するパラメータや機能スペック、撮像に関する動作のソフトウエアなどである。これにより、ユーザ個人やその嗜好、或いは状況に応じて、撮像機能や撮像画像処理の手法などが変化される。【選択図】図７
2008124885.tif 000002
【特許請求の範囲】
【請求項１】
画像撮像を行う撮像手段と、
上記撮像手段における動作制御情報となる各種の設定情報を記憶する設定情報記憶手段と、
上記設定情報記憶手段に記憶された設定情報の内で、設定情報を選択するため選択条件を検出する選択条件検出手段と、
上記選択条件検出手段で検出された選択条件に基づいて、上記設定情報記憶手段から設定情報を取得し、上記撮像手段の動作設定を行う制御手段と、
を備えたことを特徴とする撮像システム。
【請求項２】
上記撮像手段、上記設定情報記憶手段、上記選択条件検出手段、上記制御手段は、一体の機器筐体内に設けられていることを特徴とする請求項１に記載の撮像システム。
【請求項３】
少なくとも上記撮像手段と上記制御手段は第１の機器に設けられ、
少なくとも上記設定情報記憶手段は第２の機器に設けられ、
上記第１の機器と上記第２の機器は相互にデータ通信可能とされ、
上記第１の機器における上記制御手段は、上記第２の機器における上記設定情報記憶手段から、データ通信を介して上記設定情報を取得することを特徴とする請求項１に記載の撮像システム。
【請求項４】
上記撮像手段は、使用者の身体に装着されて、使用者の視界方向を被写体方向として撮像する構造とされていることを特徴とする請求項１に記載の撮像システム。
【請求項５】
上記設定情報は、上記撮像手段における撮像レンズ系の動作を設定する情報であることを特徴とする請求項１に記載の撮像システム。
【請求項６】
上記設定情報は、上記撮像手段における撮像素子部の動作を設定する情報であることを特徴とする請求項１に記載の撮像システム。
【請求項７】
上記設定情報は、上記撮像手段において撮像素子部で得られた撮像信号に対する信号処理動作を設定する情報であることを特徴とする請求項１に記載の撮像システム。
【請求項８】
上記設定情報は、上記撮像手段において有効化させる機能を設定する情報であることを特徴とする請求項１に記載の撮像システム。
【請求項９】
上記設定情報は、上記撮像手段において実行させる画像処理アルゴリズムソフトウエアであることを特徴とする請求項１に記載の撮像システム。
【請求項１０】
上記設定情報は、上記撮像手段の撮像動作の禁止又は許可の情報であることを特徴とする請求項１に記載の撮像システム。
【請求項１１】
上記選択条件検出手段は、使用者個人を識別する情報を検出することを特徴とする請求項１に記載の撮像システム。
【請求項１２】
上記使用者個人を識別する情報は、使用者の生体情報であることを特徴とする請求項１１に記載の撮像システム。
【請求項１３】
上記選択条件検出手段は、現在日時情報を検出することを特徴とする請求項１に記載の撮像システム。
【請求項１４】
上記選択条件検出手段は、現在位置情報を検出することを特徴とする請求項１に記載の撮像システム。
【請求項１５】
使用者が操作入力を行う操作手段を更に備え、
上記選択条件検出手段は、上記操作手段によって入力された指定情報を検出することを特徴とする請求項１に記載の撮像システム。
【請求項１６】
上記選択条件検出手段は、使用者の生体状況情報を検出することを特徴とする請求項１に記載の撮像システム。
【請求項１７】
画像撮像を行う撮像手段と、上記撮像手段における動作制御情報となる各種の設定情報を記憶する設定情報記憶手段とを備えた撮像システムの撮像方法として、
上記設定情報記憶手段に記憶された設定情報の内で、設定情報を選択するため選択条件を検出する選択条件検出ステップと、
上記選択条件検出ステップで検出された選択条件に基づいて、設定情報を取得し、上記撮像手段の動作設定を行う設定ステップと、
上記設定ステップでの動作設定に基づいて上記撮像手段で撮像を行う撮像ステップと、
を備えたことを特徴とする撮像方法。
【発明の詳細な説明】
【技術分野】
【０００１】
本発明は、撮像システムと撮像方法に関する。特には撮像動作に関して多様な設定を実現する技術に関する。
【背景技術】
【０００２】
【特許文献１】特開平８−１６３５２６号公報
【特許文献２】特開２００３−２４４７２８号公報
【特許文献３】特開２００５−２６９０１０号公報
【特許文献４】特開２００６−６７１３９号公報
【特許文献５】特開平８−２９２４００号公報
【０００３】
上記特許文献１〜４のように、複数台のカメラを用いて、ヘッドマウントディスプレイやメガネ型ディスプレイにさまざまな工夫をして、用途に応じて表示する装置が提案されている。
また上記特許文献５のように、遠近両用眼鏡を眼鏡枠を物理的に移動することによって対応する装置が提案されている。
【発明の開示】
【発明が解決しようとする課題】
【０００４】
しかしながら、撮像装置（カメラ）のコントラストや感度などのパラメータや、遠景・近景・広角・望遠等の撮像におけるスペックはハード構成によって規定されており、その規定の範囲内でのみユーザが調整できるのみで、ユーザ個人や状況に合わせてパラメータ、スペック、或いは処理機能を選択できるものは提案されていない。
そこで本発明は、デジタルスチルカメラやデジタルビデオカメラ等として、静止画撮像や動画撮像を行う機器において、ユーザ個人やその嗜好、或いは状況に応じて、撮像機能等を変化させることのできる撮像システムを実現することを目的とする。
【課題を解決するための手段】
【０００５】
本発明の撮像システムは、画像撮像を行う撮像手段と、上記撮像手段における動作制御情報となる各種の設定情報を記憶する設定情報記憶手段と、上記設定情報記憶手段に記憶された設定情報の内で、設定情報を選択するため選択条件を検出する選択条件検出手段と、上記選択条件検出手段で検出された選択条件に基づいて、上記設定情報記憶手段から設定情報を取得し、上記撮像手段の動作設定を行う制御手段とを備える。
【０００６】
この撮像システムは、上記撮像手段、上記設定情報記憶手段、上記選択条件検出手段、上記制御手段は、一体の機器筐体内に設けられている。つまり１台の撮像装置として実現することができる。
或いは撮像システムは、相互にデータ通信可能な第１の機器と第２の機器により構成できる。例えば第１の機器は、撮像装置、第２の機器はサーバ装置などとする。そして少なくとも上記撮像手段と上記制御手段は第１の機器に設けられ、少なくとも上記設定情報記憶手段は第２の機器に設けられ、上記第１の機器における上記制御手段は、上記第２の機器における上記設定情報記憶手段から、データ通信を介して上記設定情報を取得する。
また、撮像システムにおいて、上記撮像手段は、使用者の身体に装着されて、使用者の視界方向を被写体方向として撮像する構造とされてもよい。
【０００７】
また上記設定情報は、上記撮像手段における撮像レンズ系の動作を設定する情報である。
また上記設定情報は、上記撮像手段における撮像素子部の動作を設定する情報である。
また上記設定情報は、上記撮像手段において撮像素子部で得られた撮像信号に対する信号処理動作を設定する情報である。
また上記設定情報は、上記撮像手段において有効化させる機能を設定する情報である。
また上記設定情報は、上記撮像手段において実行させる画像処理アルゴリズムソフトウエアである。
また上記設定情報は、上記撮像手段の撮像動作の禁止又は許可の情報である。
【０００８】
また上記選択条件検出手段は、使用者個人を識別する情報を検出する。例えば上記使用者個人を識別する情報は、使用者の生体情報である。
また上記選択条件検出手段は、現在日時情報を検出する。
また上記選択条件検出手段は、現在位置情報を検出する。
また使用者が操作入力を行う操作手段を更に備え、上記選択条件検出手段は、上記操作手段によって入力された指定情報を検出する。
また上記選択条件検出手段は、使用者の生体状況情報を検出する。
【０００９】
本発明の撮像方法は、画像撮像を行う撮像手段と、上記撮像手段における動作制御情報となる各種の設定情報を記憶する設定情報記憶手段とを備えた撮像システムの撮像方法として、上記設定情報記憶手段に記憶された設定情報の内で、設定情報を選択するため選択条件を検出する選択条件検出ステップと、上記選択条件検出ステップで検出された選択条件に基づいて、設定情報を取得し、上記撮像手段の動作設定を行う設定ステップと、上記設定ステップでの動作設定に基づいて上記撮像手段で撮像を行う撮像ステップとを備える。
【００１０】
以上の本発明では、使用者（ユーザ）が撮像システムを用いて画像撮像を行う際に、そのユーザ個人の識別、日時、場所、ユーザ選択、ユーザの身体や感情の状況などにより、設定情報が選択され、選択された設定情報に基づいて撮像動作設定が行われる。設定情報とは、撮像動作に関するパラメータや機能スペック、撮像に関する動作のソフトウエアなどである。
即ちユーザ個人やその嗜好、或いは状況に応じて、撮像機能や撮像画像処理の手法などが変化される。
【発明の効果】
【００１１】
本発明の撮像システム、撮像方法によれば、ユーザが撮像を行う際に、ユーザ個人に合わせた撮像動作設定、ユーザの嗜好に合わせた撮像動作設定、日時、場所、天候などの状況に合わせた撮像動作設定、ユーザの身体状況や感情に合わせた撮像動作設定などが行われる。
これにより、ユーザの好みや各種状況に合わせた撮像などが可能となり、多様なユーザや状況に好適に対応できる撮像システムを実現できる。
【発明を実施するための最良の形態】
【００１２】
以下、本発明の撮像システム、撮像方法の実施の形態を次の順序で説明する。なお実施の形態としては、本発明の撮像システムが撮像装置単体で実現される例と、本発明の撮像システムが撮像装置とサーバ装置によって実現される例を述べていく。
［１．撮像装置の外観例］
［２．撮像装置の構成例］
［３．設定情報及び選択条件の検出］
［４．ユーザ判別による設定処理］
［５．日時に応じた設定処理］
［６．位置に応じた設定処理］
［７．日時・位置に応じた設定処理］
［８．ユーザ選択による設定処理］
［９．生体状況に応じた設定処理］
［１０．実施の形態の効果、及び変形例、拡張例］
【００１３】
［１．撮像装置の外観例］
実施の形態の撮像装置１としては、各種の形態が想定されるが、それらの外観例を図１（ａ）（ｂ）（ｃ）（ｄ）に例示する。
図１（ａ）は、眼鏡型ディスプレイカメラとした撮像装置１を示している。撮像装置１は、例えば両側頭部から後頭部にかけて半周回するようなフレームの構造の装着ユニットを持ち、図のように両耳殻にかけられることでユーザに装着される。
この撮像装置１は、ユーザが装着した状態において、ユーザの視界方向を被写体方向として撮像するように、前方に向けて撮像レンズ３ａが配置されている。
また図示のような装着状態において、ユーザの両眼の直前、即ち通常の眼鏡におけるレンズが位置する場所に、左眼用と右眼用の一対の表示部２、２が配置される構成とされている。この表示部２には、例えば液晶パネルが用いられ、透過率を制御することで、図のようなスルー状態、即ち透明又は半透明の状態とできる。表示部２がスルー状態とされることで、眼鏡のようにユーザが常時装着していても、通常の生活には支障がない。
なお、表示部２は、両眼に対応して一対設けられる他、片側の眼に対応して１つ設けられる構成も考えられる。
【００１４】
図１（ｂ）は、同じくユーザが頭部に装着する撮像装置１を示しているが、図１（ａ）のような表示部２を備えない構成である。例えば耳殻に掛けられるような装着ユニットによりユーザ頭部に装着される。そしてこの状態でユーザの視界方向を被写体方向として撮像するように、前方に向けて撮像レンズ３ａが配置されている。
【００１５】
これら図１（ａ）（ｂ）では、眼鏡型或いは頭部装着型の装着ユニットによりユーザの頭部に装着される撮像装置１を挙げたが、撮像装置１をユーザが装着するための構造は多様に考えられる。例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着させる形態であってもよい。また必ずしもユーザの頭部に装着されるものでなくても良い。
また、撮像方向をユーザの視界方向としているが、装着時にユーザの後方、側方、上方、足下方向などを撮像するように撮像レンズ３ａが取り付けられている構成や、撮像方向が同一又は異なる方向とされた複数の撮像系が設けられている構成も考えらえる。
さらには、１又は複数の撮像レンズ３ａについて、被写体方向を手動又は自動で可変できる撮像方向可変機構を設けても良い。
【００１６】
図１（ｃ）は一般にデジタルスチルカメラとして知られているような形態の撮像装置１を示している。
また図１（ｄ）は一般にビデオカメラとして知られているような形態の撮像装置１を示している。
これら図１（ｃ）（ｄ）のようにユーザが所持して使用する撮像装置１も、本発明の実施の形態の一態様となる。そして図では撮像レンズ３ａしか示していないが、撮像モニタ用のパネル表示部やビューファインダなどの表示デバイスも設けられている。
【００１７】
なお、動画撮像や静止画撮像を行う撮像装置として、これら図１（ａ）（ｂ）（ｃ）（ｄ）に示す以外の形態も考えられることは言うまでもない。例えば携帯電話機やＰＤＡ（Personal Digital Assistant）、携帯用パーソナルコンピュータなどの機器であって、撮像装置としての機能を備えているものも本実施の形態の撮像装置１として想定できる。
また、これらの各種形態において、例えば外部音声を集音するマイクロホンを設け、撮像時に、画像データと共に記録する音声信号を得るようにしてもよい。また音声出力を行うスピーカ部やイヤホン部を形成するようにしても良い。
また撮像レンズ３ａの近辺に、被写体方向への照明を行う発光部を、例えばＬＥＤ（Light Emitting Diode）等により設けたり、静止画撮像のためのフラッシュ発光部を設けることも考えられる。
【００１８】
図２（ａ）（ｂ）（ｃ）に実施の形態の撮像システムの構成例を示している。
上述したように、本発明の撮像システムは、図２（ａ）のように撮像装置１の単体でも実現できるし、図２（ｂ）（ｃ）のように撮像装置１とサーバ装置７０とによっても実現できる。
【００１９】
図２（ａ）は撮像装置１の単体で本発明の撮像システムとして実現される例である。詳しくは後述するが、撮像装置１の内部には、設定情報格納部２４が設けられており、撮像動作に関する各種の動作制御のための設定情報が格納されている。設定情報とは、各種動作のパラメータ、スペック情報、画像処理のためのアルゴリズムソフトウエアなどである。
撮像装置１は、各種の選択条件を検出し、選択条件に基づいて設定情報格納部２４から設定情報を選択し、撮像動作の設定を行う。
選択条件とは、設定情報の選択のための検索条件であり、ユーザ識別情報、日時、位置、ユーザによる選択情報、ユーザの生体状況情報など、多様な例が考えられる。
【００２０】
図２（ｂ）は、撮像装置１が通信機能（後述する通信部２６）を備えた場合に、外部のサーバ装置７０と通信を行う例である。この場合、サーバ装置７０において設定情報格納部７１が備えられ、各種の設定情報が格納されている。
撮像装置１とサーバ装置７０は相互にデータ通信可能とされる。そして、撮像装置１は、各種の選択条件を検出し、選択条件をサーバ装置７０に送信する。或いはサーバ装置７０側で選択条件を検出することもある。
そしてサーバ装置７０は、選択条件に基づいて設定情報格納部２４から設定情報を選択し、撮像装置１に送信する。撮像装置１は受信した設定情報に応じて撮像動作の設定を行う。
図２（ｃ）は、撮像装置１の通信部２６が、特にインターネット等のネットワーク６０を介した通信アクセス機能を備えることで、ネットワーク６０で接続されるサーバ装置７０と通信を行う例である。
この場合も撮像装置１は、各種の選択条件を検出し、選択条件をサーバ装置７０に送信する。或いはサーバ装置７０側で選択条件を検出する。そしてサーバ装置７０は、選択条件に基づいて設定情報格納部２４から設定情報を選択し、撮像装置１に送信する。撮像装置１は受信した設定情報に応じて撮像動作の設定を行う。
【００２１】
なお、図２（ｂ）（ｃ）のサーバ装置７０としては、撮像装置１を用いるユーザ本人が所有する機器であったり、撮像装置１のユーザの知人が所有する機器であったり、或いは設定情報のダウンロードサービスを行う公共或いはサービス企業等の機器であって撮像装置１と通信可能とされているものなど多様に考えられる。
【００２２】
［２．撮像装置の構成例］
実施の形態の撮像装置１の構成例として、２つの構成例を図３，図４に挙げる。図３は、上記図２（ａ）のように撮像装置１が単体で本発明の撮像システムとして実現される場合の構成例であり、図４は上記図２（ｂ）（ｃ）のように撮像装置１がサーバ装置７０と通信を行うことで本発明の撮像システムが実現される場合の構成例である。
【００２３】
まず図３の構成例を説明する。
システムコントローラ１０は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、撮像装置１の全体を制御する制御部とされる。このシステムコントローラ１０は内部のＲＯＭ等に保持したプログラムに基づいて、各部に所定の動作を実行させる。
【００２４】
撮像装置１内では、被写体光景の撮像のための構成として、撮像部３、撮像制御部１１、撮像信号処理部１５が設けられる。
撮像部３は、図１に示した撮像レンズ３ａや、絞り、ズームレンズ、フォーカスレンズなどを備えて構成されるレンズ系や、レンズ系に対してフォーカス動作やズーム動作を行わせるための駆動系、さらにレンズ系で得られる撮像光を検出し、光電変換を行うことで撮像信号を生成する固体撮像素子アレイなどが設けられる。固体撮像素子アレイは、例えばＣＣＤ（Charge Coupled Device）センサアレイや、ＣＭＯＳ（Complementary Metal Oxide Semiconductor）センサアレイとされる。
【００２５】
撮像信号処理部１５は、撮像部３の固体撮像素子によって得られる信号に対するゲイン調整や波形整形を行うサンプルホールド／ＡＧＣ(Automatic Gain Control)回路や、ビデオＡ／Ｄコンバータを備え、デジタルデータとしての撮像信号を得る。
撮像信号処理部１５は、この撮像信号に対してホワイトバランス処理、輝度処理、色信号処理、ぶれ補正処理等を行って、撮像画像データを得る。
また撮像信号処理部１５は、輝度レベル調整、色補正、コントラスト調整、シャープネス（輪郭強調）調整を行うこともできる。
さらに撮像信号処理部１５は、画像圧縮処理、ボケ処理、色彩処理、ブラー処理、エッジ強調処理、画像解析処理、画像認識処理、画像エフェクト処理なども実行可能とすることができる。画像エフェクト処理としては、例えば撮像信号の一部を拡大した拡大画像の生成、或いは縮小画像の生成、モザイク画像／輝度反転画像／ソフトフォーカス／画像内の一部の強調表示／画像全体の色の雰囲気の可変などの処理、キャラクタ画像やイメージ画像の生成及び生成した画像を撮像画像に合成する処理などがある。
【００２６】
撮像制御部１１は、システムコントローラ１０からの指示に基づいて、撮像部３及び撮像信号処理部１５の動作による撮像動作を制御する。例えば撮像制御部１１は、撮像部３，撮像信号処理部１５の動作のオン／オフを制御する。また撮像制御部１１は撮像部３に対して、オートフォーカス、自動露出調整、絞り調整、ズーム、焦点変更などの動作を実行させるための制御（モータ制御）を行うものとされる。
また撮像制御部１１はタイミングジェネレータを備え、固体撮像素子及び撮像信号処理部１１のサンプルホールド／ＡＧＣ回路、ビデオＡ／Ｄコンバータに対しては、タイミングジェネレータにて生成されるタイミング信号により信号処理動作を制御する。また、このタイミング制御により撮像フレームレートの可変制御も可能とされる。
さらに撮像制御部１１は、固体撮像素子及び撮像信号処理部１５における撮像感度や信号処理の制御を行う。例えば撮像感度制御として固体撮像素子から読み出される信号のゲイン制御を行ったり、黒レベル設定制御や、デジタルデータ段階の撮像信号処理の各種係数（パラメータ）制御、ぶれ補正処理における補正量制御などを行うことができる。撮像感度に関しては、特に波長帯域を考慮しない全体的な感度調整や、例えば赤外線領域、紫外線領域など、特定の波長帯域の撮像感度を調整する感度調整（例えば特定波長帯域をカットするような撮像）なども可能である。波長に応じた感度調整は、撮像レンズ系における波長フィルタの挿入や、撮像信号に対する波長フィルタ演算処理により可能である。これらの場合、撮像制御部１１は、波長フィルタの挿入制御や、フィルタ演算係数の指定等により、感度制御を行うことができる。
さらに撮像制御部１１は、システムコントローラ１０の指示に基づいて、撮像信号処理部１５の上記の画像処理動作を制御する。
【００２７】
撮像制御部１５は、システムコントローラ１０から設定情報（パラメータ、スペック情報、アルゴリズムソフトウエアなど）が与えられることにより、これら各種撮像動作制御に関する動作設定や、必要な制御を行う。
【００２８】
撮像部３で撮像され、撮像信号処理部１５で処理された撮像信号（撮像による画像データ）は画像入出力コントロール部２７に供給される。
画像入出力コントロール部２７は、システムコントローラ１０の制御に応じて、画像データの転送を制御する。即ち、撮像信号処理部１５，表示画像処理部１２、ストレージ部２５の間の画像データの転送を制御する。
例えば画像入出力コントロール部２７は、システムコントローラ１０の制御により、撮像信号処理部１５で処理された撮像信号としての画像データを、記録のためにストレージ部２５に供給したり、撮像モニタ表示の実行のために表示画像処理部１２に供給する。
また画像入出力コントロール部２７はストレージ部２５で再生された画像データを、再生表示の実行のために表示画像処理部１２に供給することもできる。
【００２９】
ストレージ部２５は、所定の記録媒体に対してデータの記録再生を行う部位とされる。例えばＨＤＤ（Hard Disk Drive）として実現される。もちろん記録媒体としては、フラッシュメモリ等の固体メモリ、固定メモリを内蔵したメモリカード、光ディスク、光磁気ディスク、ホログラムメモリなど各種考えられ、ストレージ部２５としては採用する記録媒体に応じて記録再生を実行できる構成とされればよい。
このストレージ部２５は、システムコントローラ１０の制御に基づいて、撮像によって得られる動画又は静止画としての画像データを記録媒体に記録する。即ち、画像入出力コントロール部２７を介して供給される画像データに対して、記録媒体への記録のためのエンコード処理を行い、記録媒体に記録する。
またストレージ部２５はシステムコントローラ１０の制御に従って、記録した画像データを再生することができる。再生した画像データは画像入出力コントロール部２７を介して表示画像処理部１２に供給される。
なお図示していないが、所定のインターフェース部により、ストレージ部２５で再生した画像データを外部機器に出力し、外部のモニタ装置で表示させたり、外部のストレージ機器に記録させることなども可能である。
【００３０】
図１（ａ）の場合のように表示部２がユーザの眼前に配置される場合や、図１（ｃ）（ｄ）のような撮像装置１の場合で撮像モニタや再生モニタのための表示部やビューファインダが設けられる場合、図３に示すように、ユーザに対して表示を行う構成として、表示部２、表示画像処理部１２、表示駆動部１３，表示制御部１４が設けられる。なお、図１（ｂ）のように表示部を備えない場合は、これらの構成は設けられない。
【００３１】
表示画像処理部１２に対しては、システムコントローラ１０の制御により、画像入出力コントロール部２７を介して、撮像部３で撮像され撮像信号処理部１５で処理された画像データ（即ち現在撮像している画像データ）や、ストレージ部２５から読み出された画像データ（即ち記録媒体から再生された画像データ）が供給される。
表示画像処理部１２は、供給される画像データを表示部２に表示するための信号処理（例えば輝度レベル調整、色補正、コントラスト調整、シャープネス（輪郭強調）調整など）や、画面分割処理、キャラクタ画像の合成処理等を行う。
【００３２】
表示駆動部１３は、表示画像処理部１２から供給される画像信号を、例えば液晶ディスプレイとされる表示部２において表示させるための画素駆動回路で構成されている。即ち表示部２においてマトリクス状に配置されている各画素について、それぞれ所定の水平／垂直駆動タイミングで映像信号に基づく駆動信号を印加し、表示を実行させる。
また図１（ａ）のような形態の場合、表示駆動部１３が、表示部２の各画素の透過率を制御して、スルー状態とすることができるようにする。
表示制御部１４は、システムコントローラ１０の指示に基づいて、表示画像処理部１２の処理動作や表示駆動部１３の動作を制御する。即ち表示画像処理部１２に対しては、上記の各種処理を実行させる。また表示駆動部１３に対してはスルー状態、画像表示状態の切り換えが行われるように制御する。
【００３３】
撮像装置１では、ユーザの操作のために操作入力部２０が設けられる。
操作入力部２０は、例えばキー、ダイヤル等の操作子を有するようにし、キー操作等としてのユーザの操作を検知する構成としてもよいし、或いはユーザの意識的な挙動を検知する構成としても良い。
操作子を設ける場合、例えば、電源オン／オフ、撮像開始／停止、再生開始／停止／サーチ、撮像系の動作（例えばズーム動作や、信号処理の指示）、メニュー操作、選択操作（例えば後述する設定情報の選択のための操作）などのための操作子等が形成されればよい。
また特に図１（ａ）（ｂ）のように操作子を多数設けにくい構造の場合はユーザの挙動を検知する構成とすることが好適であり、その場合は、加速度センサ、角速度センサ、振動センサ、圧力センサ等を設けることが考えられる。
例えばユーザが図１（ａ）のような撮像装置１を側面側からコツコツと軽く叩くといったことを、加速度センサ、振動センサ等で検知し、例えば横方向の加速度が一定値を越えたときにシステムコントローラ１０がユーザの操作として認識するようにすることができる。例えば１回叩いた場合は撮像開始操作、２回叩いた場合は撮像終了操作とするなどである。また、加速度センサや角速度センサによりユーザが右側から側部（眼鏡のツルに相当する部分）を叩いたか、左側から側部を叩いたかを検出できるようにすれば、それらを、それぞれ所定の操作として判別することもできる。
またユーザが頭を回す、首を振るなどとすることを加速度センサや角速度センサで検知し、これをシステムコントローラ１０がユーザの操作として認識することができる。
また、撮像装置１の左右の側部（眼鏡のツルに相当する部分）等に圧力センサを配置し、右側部をユーザが指で押したときは望遠方向のズーム操作、左側部をユーザが指で押したときは広角方向のズーム操作などとすることもできる。
なお、もちろん図１（ｃ）（ｄ）のような撮像装置１の場合でも、加速度センサ、角速度センサ、振動センサ、圧力センサ等によりユーザ操作を検出するようにしてもよい。
【００３４】
操作入力部２０は、このように操作子、加速度センサ、角速度センサ、振動センサ、圧力センサ等として得られる情報をシステムコントローラ１０に供給し、システムコントローラ１０はこれらの情報によりユーザの操作を検知する。
なお、次に生体センサ２１を述べるが、システムコントローラ１０は生体センサ２１の検出情報を、ユーザの操作入力として認識するようにしてもよい。例えばユーザの意識的な挙動として目の動き（視線方向の変化や瞬き）が考えられるが、後述する視覚センサでまばたきを検知し、３回まばたきしたら、それを特定の操作入力と判断するなどである。
【００３５】
また、撮像装置１の電源オン／オフの操作に関しては、電源操作子が設けられても良いが、生体センサ２１でユーザが撮像装置１を装着したことを検出したら、システムコントローラ１０は自動的に電源オンとし、またユーザが撮像装置１を外したら自動的に電源オフとすることが考えられる。
【００３６】
生体センサ２１は、ユーザの生体情報を検出する。生体情報とは、脈拍数、心拍数、心電図情報、筋電、呼吸情報（例えば呼吸の速さ、深さ、換気量など）、発汗、ＧＳＲ（皮膚電気反応）、血圧、血中酸素飽和濃度、皮膚表面温度、脳波（例えばα波、β波、θ波、δ波の情報）、血流変化、眼の状態、指紋などである。
例えば皮膚電気反応、体温、皮膚表面温度、心電図反応、筋電心拍、脈拍、血流、血圧、脳波、発汗、体温などを検出するには、例えば図１（ａ）（ｂ）の装着フレームの内側でユーザの側頭部や後頭部に接触するセンサや、装着フレームとは別体とされて他の身体部分に接触するように取り付けられるセンサを用いることが考えられる。
図１（ｃ）（ｄ）のようにユーザが手に持って使用する撮像装置１の場合は、手が触れる部分にセンサを配置することで、指紋パターン、脈拍、発汗、ＧＳＲ、血流変化、体温などを検出することができる。
またユーザの皮膚を撮像する撮像部を用いても良い。この撮像部は例えば皮膚の色の変化を検知できるセンサとなる。
また、ユーザの視覚を検出するセンサとしては、例えば図１（ａ）の構造において表示部２の近辺に配置されてユーザの眼部を撮像するようにされた撮像部を備えた視覚センサにより形成できる。この場合、該撮像部が撮像したユーザの眼部の画像について画像解析を行うことで、視線方向、焦点距離、瞳孔の開き具合、眼底パターン、まぶたの開閉などを検出できる。または、表示部２の近辺に配置されてユーザの眼部に光を照射する発光部と、眼部からの反射光を受光する受光部により形成することもできる。例えば受光信号からユーザの水晶体の厚みを検知することも可能である。
生体センサ２１は、これら所要のセンサによる検出結果情報をシステムコントローラ１０に供給する。
【００３７】
なお上記操作入力部２０として、加速度センサ、角速度センサ、振動センサ等を設ける例を述べたが、これらによってはユーザの体の動き、頭の動き、重心、歩行／走行のリズムなどを検出可能となる。操作入力部２０の説明では、ユーザの「操作」としての意識的な挙動をこれらで検知すると述べたが、ユーザの体の動き、頭の動き、重心、歩行／走行のリズムなど、ユーザが「操作」として意識していない挙動を加速度センサ等で検知し、生体情報の１つとしてもよい。
【００３８】
また撮像装置１は日時計数部１８やＧＰＳ受信部１９が設けられる。
日時計数部１８は、いわゆる時計部として、日時（年月日時分秒）を計数し、現在日時情報をシステムコントローラ１０に出力する。
ＧＰＳ受信部２１は、ＧＰＳ（Global Positioning System）の衛星からの電波を受信し、現在位置としての緯度・経度の情報をシステムコントローラ１０に出力する。
【００３９】
設定情報格納部２４は、各種の設定情報を記憶しており、システムコントローラ１０は設定情報格納部２４から設定情報を選択して読み出すことができる。
この設定情報格納部２４は、ＨＤＤやフラッシュメモリ等の不揮発性の記録媒体により形成されればよい。またストレージ部２５における記憶領域の一部を用いて設定情報格納部２４を実現することもできる。
【００４０】
設定情報は各種のパラメータ、スペック情報、アルゴリズムソフトウエアなどであり、この設定情報の具体例や、設定情報の選択のための選択条件については後述するが、システムコントローラ１０は、選択的に読み出した設定情報に基づいて、撮像系（以下、撮像部３，撮像信号処理部１５、撮像制御部１１をまとめて撮像系と言う）の設定制御を行う。つまり撮像系において選択された設定情報に基づいた撮像動作が行われたり、設定情報に基づいた機能が実行可能となるようにする。
後述するが、システムコントローラ１０は、操作入力部２０、生体センサ２１  日時計数部１８、ＧＰＳ受信部１９からの情報を選択条件として検出し、その選択条件に基づいて、設定情報格納部２４から設定情報を選択して読み出し、読み出した設定情報に基づいて撮像系の設定処理を行うことになる。
【００４１】
次に図２（ｂ）（ｃ）の場合の撮像装置１としての構成例を図４に示す。なお図４において図３と同一部分は同一符号を付して重複説明を避ける。図４の構成例は、図３のように撮像装置１の内部に設定情報格納部２４が設けられず、代わりに通信部２６が設けられているものである。
【００４２】
通信部２６は図２（ｂ）（ｃ）のサーバ装置７０との間でのデータの送受信を行う。例えば通信部２６は、無線ＬＡＮ、ブルートゥースなどの方式で、例えばネットワークアクセスポイントに対する近距離無線通信を介してネットワーク通信を行う構成としても良いし（図２（ｃ）の場合）、対応する通信機能を備えたサーバ装置７０との間で直接無線通信を行うものでも良い（図２（ｂ）の場合）。
【００４３】
このような構成の撮像装置１に対して、サーバ装置７０は例えば図５のように構成される。即ち、サーバ制御部７２、設定情報格納部７１、通信部７３、日時計数部７４を備える。
設定情報格納部７１は、例えばＨＤＤ等により実現され、多様な設定情報を格納する。
通信部７３は、撮像装置１の通信部２６との間で、直接又はネットワーク通信によるデータ通信を行う。
サーバ制御部７２は、サーバ装置７０としての必要な動作制御を行う。具体的には撮像装置１との間の通信動作や、設定情報格納部７１に格納された設定情報の検索及び撮像装置１への設定情報のダウンロード処理を行う。
日時計数部７４はいわゆる時計部として、日時（年月日時分秒）を計数し、現在日時情報をサーバ制御部７２に通知する。
【００４４】
撮像装置１のシステムコントローラ１０は、このようなサーバ装置７０との間でデータ通信を行い、設定情報をダウンロードすることになる。
システムコントローラ１０は、操作入力部２０、生体センサ２１  日時計数部１８、ＧＰＳ受信部１９からの情報を選択条件として検出する。そしてその選択条件を通信部２６からサーバ装置７０に送信させる。なお、選択条件が現在日時のみの場合は、選択条件はサーバ装置７０側で発生させる（日時計数部７４で検出）場合もある。
サーバ装置７０側では、サーバ制御部７２は選択条件に応じて設定情報格納部７１に格納されている設定情報を読み出し、撮像装置１に対してダウンロード送信する。
撮像装置１では、設定情報をダウンロードしたら、システムコントローラ１０は、ダウンロードした設定情報に基づいて撮像系の設定処理を行うことになる。
【００４５】
以上、図３，図４として撮像装置１の構成例を示したが、撮像装置１としてはさらに多様な構成例が想定される。
例えば図３，図４において外部音声を集音し、撮像画像データとともに音声データをストレージ部２５において記録を行う構成としてもよい。
またその場合、ストレージ部２５で再生される音声データを再生出力する音声再生系やスピーカ部／イヤホン部等が設けられても良い。
また、図３，図４の構成を共に備え、撮像装置内部で設定情報を得るための設定情報格納部２４と、外部のサーバ装置７０における設定情報格納部７１からの設定情報を得るための通信部２６の両方を備えることも考えられる。
また、選択条件の検出のための構成として操作入力部２０、生体センサ２１  日時計数部１８、ＧＰＳ受信部１９を挙げたが、これら全てを必ず設ける必要はなく、実行する選択条件検出動作に応じて設けられればよいし、他の検出部を設けても良い。
【００４６】
［３．設定情報及び選択条件の検出］
設定情報の具体例を例示する。
設定情報としては、パラメータ、スペックデータ（実現機能のデータ）、アルゴリズムソフトウエア等が想定され、撮像系の動作制御情報となるものである。システムコントローラ１０は、これらの設定情報を取得し、撮像系の動作設定を行う。
【００４７】
設定情報が或るパラメータの場合は、システムコントローラ１０は設定処理として、撮像系に動作パラメータを指示する。これにより、撮像系の処理動作が設定される。
スペックデータは、撮像系で実行可能とする動作機能を指定するデータであり、システムコントローラ１０は、取得した設定情報がスペックデータである場合は、設定処理として、そのスペックデータで示される機能が有効（又は無効）となるように撮像系に機能有効化（又は機能無効化）の指示を行う。
設定情報がアルゴリズムソフトウエアの場合、システムコントローラ１０は設定処理として、撮像制御部１１もしくは撮像信号処理部１５に対して、そのアルゴリズムソフトウエアをロードさせ、そのソフトウエアに基づく処理を実行可能とする。もしくはシステムコントローラ１０が撮像信号処理部１５に代わって、アルゴリズムソフトウエアに基づく画像データを対象とした演算処理を行うようにしても良い。
【００４８】
これら設定情報としては、以下のものが考えられる。
＊撮像部３の撮像レンズ系の動作を設定するパラメータ
・望遠撮像時の望遠度合いを指定するパラメータ
・広角撮像時の広角度合いを指定するパラメータ
・望遠−広角ズーム可変範囲を指定するパラメータ
・焦点深度を指定するパラメータ
【００４９】
＊撮像部３の撮像素子部の動作を設定するパラメータ
・撮像感度を指定するパラメータ
・シャッタスピードを指定するパラメータ
・紫外線撮像感度設定のパラメータ
・赤外線撮像感度設定のパラメータ
・フレームレートを指定するパラメータ
【００５０】
＊撮像部３の撮像素子部で得られた撮像信号に対する撮像信号処理部１５の信号処理動作を設定するパラメータ
・輝度設定パラメータ
・色調設定パラメータ
・コントラスト度合いを指定するパラメータ
・シャープネス度合いを指定するパラメータ
【００５１】
＊有効化させる機能を設定する機能情報（スペックデータ）
・望遠撮像機能の有効／無効を指定するスペックデータ
・広角撮像機能の有効／無効を指定するスペックデータ
・近景撮像機能の有効／無効を指定するスペックデータ
・中景撮像機能の有効／無効を指定するスペックデータ
・遠景撮像機能の有効／無効を指定するスペックデータ
・オートフォーカス機能の有効／無効を指定するスペックデータ
・高速撮像機能の有効／無効を指定するスペックデータ
・動画／静止画撮像切換機能の有効／無効を指定するスペックデータ
・暗視撮像機能（赤外線撮像機能）の有効／無効を指定するスペックデータ
・紫外線撮像機能の有効／無効を指定するスペックデータ
【００５２】
＊撮像許可／禁止を設定する機能情報（スペックデータ）
・撮像動作自体の有効／無効を指定するスペックデータ
・１又は複数の特定の機能を限定して撮像動作自体の有効／無効を指定するスペックデータ（例えば暗視撮像のみ禁止するなど）
【００５３】
＊画像処理アルゴリズムソフトウエア
・画像圧縮処理プログラム
・ボケ処理プログラム
・色彩処理プログラム
・ブラー処理プログラム
・エッジ強調処理プログラム
・画像解析処理プログラム
・画像認識処理プログラム
・画像エフェクト処理プログラム
・画像認識処理等に応じた動作制御プログラム（例えば特定の対象が検出された場合に、特定のエフェクト処理や、追尾撮像動作を行うなどの動作制御プログラム）
【００５４】
例えば以上のような設定情報が想定されるが、もちろんこれら以外にも多様な設定情報が想定される。
そして撮像装置１では、これらの設定情報の中から選択された設定情報に基づいて撮像動作に関する設定が行われるが、システムコントローラ１０は適切な設定情報を選択するための選択条件を検出する。そして設定情報格納部２４（７１）において、選択条件に応じて該当する１又は複数の設定情報が読み出され、システムコントローラ１０に与えられる。システムコントローラ１０は、そのようにして取得した設定情報に基づいて、撮像系の設定処理を行う。
【００５５】
システムコントローラ１０は選択条件を、操作入力部２０、生体センサ２１、日時計数部１８、ＧＰＳ受信部１９からの情報によって検出する。
検出する選択条件としては、ユーザ個人を識別する情報、現在日時情報、現在位置情報、操作入力による指定情報、ユーザの生体状況情報が考えられる。
以下、これらの選択条件について説明する。
【００５６】
＊ユーザ個人を識別する情報
例えばユーザ個人毎の撮像に関する好み、撮像技能、使用機会の多寡、画像に対する嗜好などに応じて、適切な撮像動作設定を行うことを考える。すると、ユーザ個人個人に応じて撮像動作設定を変化させるという処理を行うことが好適であり、この場合、ユーザ個人を識別できる情報を選択条件として検出すればよい。
ユーザ個人の識別情報としては、１つには、例えばユーザ毎に設定した暗証番号その他のユーザＩＤとしてのコードナンバとすることが考えられる。この場合、例えばユーザが撮像装置１の使用に際して、操作入力部２０からユーザＩＤのコードナンバ入力を行い、システムコントローラ１０がそれを検出すればよい。
またサーバ装置７０との通信を行うシステム構成であって、サーバ装置７０が多数の撮像装置１に対応する場合は、ユーザ個人の識別情報として、撮像装置１自体に固有に付与されたコードナンバ（例えばシリアルナンバ、製造ナンバ等）を、ユーザを識別する情報とすることもできる。
さらに、特にユーザ個人の識別情報として好適なのは、生体センサ２１で得られる生体情報である。生体センサ２１では、脈拍数、心拍数、心電図情報、筋電、呼吸情報（例えば呼吸の速さ、深さ、換気量など）、発汗、ＧＳＲ（皮膚電気反応）、血圧、血中酸素飽和濃度、皮膚表面温度、脳波（例えばα波、β波、θ波、δ波の情報）、血流変化、眼の状態（眼底パターンやまばたきのパターン等）などを検出することが想定されるが、これらの情報の１つ或いは複数の組み合わせで、ユーザ個人を特定できる情報が形成できる。例えば指紋、脈拍、呼吸活動、眼底パターン、水晶体の厚みなどの情報を個別或いは複合的に用いることで、実際に撮像装置１を使用しているユーザを識別できる情報を生成することができる。
なお、このような生体情報に基づくユーザ個人の識別情報は、ユーザにコードナンバ等の入力操作負担が不要という点で、使用上好適となるとともに、より正確性の高いユーザ識別情報とすることができる。
【００５７】
＊現在日時情報
特定の時刻、特定の週、特定の日、特定の期間、特定の時刻、季節、朝昼晩夜などに応じて、適切な撮像動作設定を行うということが考えられる。
この場合、日時計数部１８（又はサーバ装置７０における日時計数部７４）で現在日時として年月日時分秒を検出し、これを設定情報を選択するための選択条件とすればよい。
【００５８】
＊現在位置情報
特定の場所として、例えば公園、遊園地、競技場、スタジアム、テーマパーク、美術館、コンサートホール、店舗、イベント会場、駅、などの各種の特定の施設、或いは特定の観光地、特定の市町村、特定の地区などにユーザが居る場合に、その場所に応じて適切な撮像動作設定を行うということが考えられる。
さらには、特定の場所でなくても、海岸、山間部、高原、都市部、高速道路などの位置的な環境の別に応じて適切な撮像動作設定を行うということも考えられる。
これらのためには、ＧＰＳ受信部１９で検出される位置情報（緯度・経度）を、設定情報を選択するための選択条件とすればよい。
【００５９】
＊操作入力による指定情報
例えばユーザが、自分の趣味嗜好に合わせて撮像動作の設定を行いたい場合があるが、そのためには、撮像システムにおいて選択可能な設定情報を用意し、ユーザに選択操作を求めるようにすればよい。
この場合、システムコントローラ１０は、操作入力部２０の選択操作による指定情報を選択条件とする。
例えば撮像システムは、プロカメラマンＡ氏、Ｂ氏、Ｃ氏が好む撮像動作、画像処理動作に関するパラメータ群などとしての設定を用意し、これらをユーザに提示して選択させる。
或いは各種のカメラメーカでの撮像画質の違いなどに応じたパラメータ群等の設定を用意し、これらをユーザに提示して選択させる。
或いは、性別や年齢などに応じたパラメータ群等の設定を用意し、これらをユーザに提示して選択させる。
例えばシステムコントローラ１０は、撮像装置１の表示部２において選択メニューなどの形式で選択項目を表示させる。そしてユーザは、選択項目を確認し、或る項目の選択操作を行う。するとシステムコントローラ１０は、その選択項目の指定情報に応じた設定情報を取得し、撮像系の動作設定を行う。例えばユーザがカメラマンＡ氏の設定を選択した場合は、そのＡ氏が推奨する（或いはＡ氏風の撮像が実行できる）設定状態となるようにするものである。
【００６０】
＊ユーザの生体状況情報
ユーザの身体や感情の状況に応じて、撮像動作の設定を行うことが考えられる。例えばユーザの感情として、楽しい、おもしろい、うれしい、悲しい、恐ろしい、穏やか、懐かしい、感動、驚愕、興奮、緊張などに応じて、撮像動作設定を切り換えたり、ユーザの動作として、静止中、歩行中、走行中、運動中、就寝中などに応じて、撮像動作設定を切り換えたりすることである。
生体センサ２１で検出される上述した各種の生体情報によっては、これらのユーザの身体や感情の状況を推定することができる。例えばユーザの感情や、緊張状態、興奮状態、快適状態などに伴って生体情報の数値の変動（例えば脳波、発汗、呼吸数、心拍、血圧、眼の状態等の変動）が観測できるため、ユーザの感情を推定できる。
また生体センサ２１（或いは上述したように操作入力部２０）において加速度センサ、角速度センサ、振動センサ等を備えるようにすれば、振動、加速度、角速度等の検出値により、ユーザの身体動作を推定できる。
従ってシステムコントローラ１０は、生体センサ２１からの生体情報等から推定される感情や身体の状況を判別して生体状況情報を生成し、これを選択条件とすることが考えられる。
【００６１】
本例の撮像装置１では、例えば以上のような選択条件に基づいて、設定情報を選択し、撮像系の動作設定を行う。
ここで撮像装置１に設けられる設定情報格納部２４、又はサーバ装置７０に設けられる設定情報格納部７１において格納される情報について述べておく。
図６には、設定情報格納部２４（７１）に記憶される情報を例示している。
設定情報格納部２４（７１）には、設定情報記憶領域５０が形成され、ここに上述した各種の設定情報（パラメータ、スペックデータ、アルゴリズムソフトウエア等）が記憶される。
【００６２】
そしてこの設定情報以外に、選択条件に基づいて設定情報を特定するための各種テーブルが設けられる。
ここでは、ユーザＩＤテーブル５１、ユーザ対応設定情報テーブル５２、日時対応設定情報テーブル５３、位置対応設定情報テーブル５４、日時・位置対応設定情報テーブル５５、選択用設定情報テーブル５６、生体状況対応設定情報テーブル５７を示している。
【００６３】
ユーザＩＤテーブル５１は、ユーザ個人毎に与えられるユーザＩＤと、そのユーザＩＤに対応するユーザ個人の識別情報（ユーザ識別情報）が記憶されている。ユーザＩＤは、自分が嗜好する設定を登録したユーザに付与されたユーザ個人毎のＩＤである。またユーザ個人の識別情報（ユーザ識別情報）とは、例えば上述したように、ユーザの生体情報によって生成したユーザ個人の識別情報である。
つまり検出した生体情報から、ユーザ個人の識別情報が生成された場合に、このユーザＩＤテーブル５１を参照することで、ユーザＩＤを判別できる。
上述したように、ユーザ個人に応じた識別情報として、ユーザＩＤ自体が入力される用にすることも考えられるが、例えば生体情報に基づいて個人（ユーザＩＤ）を特定する場合は、このようにユーザＩＤテーブル５１を設け、生体情報からユーザＩＤを特定できるようにする。
【００６４】
ユーザ対応設定情報テーブル５２は、ユーザＩＤと、各ユーザＩＤに対応する設定情報が示されているテーブルである。ユーザＩＤは、上記のように自分が嗜好する設定を登録したユーザに付与されたＩＤであるが、そのユーザＩＤに対応して、そのユーザが嗜好する設定を実現する設定情報が示される。例えば設定情報記憶領域５０内の各種設定情報を指定するポインタが、ユーザＩＤに対応して記憶される。
日時対応設定情報テーブル５３は、特定の日時（時刻、週、日、期間、季節、朝昼晩夜など）に応じて、対応する設定情報が示されているテーブルである。
位置対応設定情報テーブル５４は、特定の位置や不特定の位置環境に応じて、対応する設定情報が示されているテーブルである。
日時・位置対応設定情報テーブル５５は、日時と位置の組み合わせに応じて、対応する設定情報が示されているテーブルである。
選択用設定情報テーブル５６は、操作入力による指定情報を検索条件とする場合に用いるもので、ユーザが指定可能な選択項目と、各選択項目に対応する設定情報が示されている。
生体状況対応設定情報テーブル５７は、生体状況情報を検索条件とする場合に用いるもので、生体状況情報と、それに対応する設定情報が示されている。
【００６５】
これらの各テーブルにより、選択条件に応じた設定情報を把握でき、その設定情報を設定情報記憶領域５０から読み出すことができる。
なお、選択条件としては、上記以外にも考えられるが、その場合、用いられる選択条件に応じたテーブルが用意されればよい。
【００６６】
［４．ユーザ判別による設定処理］
以下、実際の処理例として上述した各種の選択条件に応じて実行される設定処理について説明していく。また、各種の選択条件に応じた処理例としては、図２（ａ）の場合の図３の撮像装置１による処理例（本発明でいう撮像システムが撮像装置１の単体で実現される場合）と、図２（ｂ）（ｃ）に相当する図４の撮像装置１と図５のサーバ装置７０による処理例（本発明でいう撮像システムが撮像装置１とサーバ装置７０により実現される場合）について、それぞれ述べていく。
【００６７】
まずここでは、ユーザ判別による設定処理例を図７，図８で説明する。即ち、ユーザ個人に応じて撮像系の設定を行う場合の例である。
図７は、図３の撮像装置１におけるシステムコントローラ１０の処理を示している。
【００６８】
システムコントローラ１０は、図７のステップＦ１００で、ユーザ識別情報を検出する。例えば図１（ａ）（ｂ）のような撮像装置１の場合は、ユーザは装着した際に、ステップＦ１００として、生体センサ２１で検出される、ユーザの生体情報を取得する。図１（ｃ）（ｄ）のような撮像装置１の場合は、ユーザは撮像装置１を持った場合に、ステップＦ１００として、生体センサ２１で検出されるユーザの生体情報を取得すればよい。
そしてシステムコントローラ１０は、検出した生体情報から、ユーザ個人の識別情報（ユーザ識別情報）を生成する。
【００６９】
続いてステップＦ１０１でシステムコントローラ１０は、検出した生体情報から生成したユーザ識別情報を用いて、設定情報格納部２４におけるユーザＩＤテーブル５１を参照し、今回生成したユーザ識別情報に対応してユーザＩＤが登録されているか否かを確認する。即ち現在撮像装置１を装着（もしくは保持）しているユーザが、自分の嗜好等に応じた設定情報を登録したユーザであるか否かを判断する。
なお、ここでは生体情報に基づいたユーザ識別情報によりユーザ個人判別を行うものとしているが、例えばユーザが操作入力部２０からユーザＩＤとしてのコードナンバ等を入力するものとした場合は、システムコントローラ１０はステップＦ１００で、その入力されたコードナンバをユーザ識別情報として取り込み、ステップＦ１０１で、そのコードナンバがユーザＩＤとしてユーザＩＤテーブル５１に登録されているか否かを確認すればよい。
【００７０】
システムコントローラ１０は、生体情報検出或いはユーザ入力によって得られたユーザＩＤが、ユーザＩＤテーブル５１に登録されていなければ、ステップＦ１０２からＦ１０５に進み、撮像系に関してデフォルトの設定処理を行う。例えば上述したパラメータ、スペックデータなどに関し、一般的な設定をデフォルト設定として決めておけばよい。
一方、ユーザＩＤが登録されていた場合は、システムコントローラ１０はステップＦ１０２からＦ１０３に進む。そして、設定情報格納部２４におけるユーザ対応設定情報テーブル５２を参照し、今回のユーザＩＤに対応する設定情報を判別し、そのユーザ対応設定情報テーブル５２に示された設定情報を、設定情報記憶領域５０から読み出す。
そしてステップＦ１０４で、設定情報格納部２４から読み出した設定情報に基づいて、撮像系の設定処理を行う。
【００７１】
次に図８で、図４の撮像装置１と図５のサーバ装置７０による処理例を述べる。図８では撮像装置１のシステムコントローラ１０の処理と、サーバ装置７０のサーバ制御部７２の処理を示している。
【００７２】
システムコントローラ１０は、上記図７のステップＦ１００と同様に、図８のステップＦ１２０でユーザ識別情報を検出する。例えば生体センサ２１で検出されるユーザの生体情報を取得するか、或いはユーザが操作入力部２０からユーザＩＤとして入力したコードナンバを取り込む。
なお、撮像装置１とサーバ装置７０のシステムであって、多数の撮像装置１がサーバ装置７０と通信を行うことを考えた場合、撮像装置１の識別情報（シリアルナンバ等）を、システムコントローラ１０がユーザ識別情報として扱うようにしてもよい。
ユーザ識別情報を検出したら、システムコントローラ１０はステップＦ１２１で、ユーザ識別情報を通信部２６からサーバ装置７０に対して送信させる。
【００７３】
サーバ７０のサーバ制御部７２は、撮像装置１から送信されてくるユーザ識別情報をステップＦ１４０で受信する。即ちサーバ制御部７２は通信部７３で受信されたユーザ識別情報を取り込む。
すると、サーバ制御部７２は受信したユーザ識別情報を用いて、設定情報格納部７１におけるユーザＩＤテーブル５１を参照し、今回受信したユーザ識別情報に対応してユーザＩＤが登録されているか否かを確認する。即ちユーザ識別情報の送信元の撮像装置１を装着（もしくは保持）しているユーザが、自分の嗜好等に応じた設定情報をサーバ装置７０に登録したユーザであるか否かを判断する。
【００７４】
サーバ制御部７２は、ステップＦ１４２でユーザＩＤテーブル５１の検索結果の情報を撮像装置１に通知する。即ちサーバ制御部７２は、現在の撮像装置１を使用しているユーザが登録ユーザであるか否かの判断結果の情報を通信部７３から撮像装置１に送信させる。
そして、該当のユーザＩＤがユーザＩＤテーブル５１に登録されていない、未登録のユーザであった場合は、サーバ制御部７２はステップＦ１４３から処理を終える。
一方、撮像装置１では、登録ユーザであるか否かの判断結果をステップＦ１２２で受信したら、システムコントローラ１０は、その判断結果を確認する。そして登録ユーザではないという通知であったら、処理をステップＦ１２３からＦ１２６に進め、撮像系に関してデフォルトの設定処理を行う。例えば上述したパラメータ、スペックデータなどに関し、一般的な設定をデフォルト設定として決めておけばよい。
【００７５】
サーバ制御部７２が、ユーザＩＤテーブル５１の検索により、現在撮像装置１を使用しているユーザが登録ユーザであると判断した場合は、処理をステップＦ１４３からＦ１４４に進める。そして、設定情報格納部７１におけるユーザ対応設定情報テーブル５２を参照し、今回のユーザＩＤに対応する設定情報を判別し、そのユーザ対応設定情報テーブル５２に示された設定情報を、設定情報記憶領域５０から読み出す。
そしてステップＦ１４５で、設定情報格納部７１から読み出した設定情報を、撮像装置１に対してダウンロード送信する。
撮像装置１側では、システムコントローラ１０は、ステップＦ１２２で受信した通知により、サーバ装置７０側で登録ユーザと確認されたことを検知したら、処理をステップＦ１２３からＦ１２４に進める、
そしてサーバ装置７０のステップＦ１４５の処理により送信されてくる設定情報のダウンロード処理を実行する。
ステップＦ１２４でのダウンロード処理が完了し、設定情報を取得したら、システムコントローラ１０はステップＦ１２５で、取得した設定情報に基づいて、撮像系の設定処理を行う。
【００７６】
以上の図７又は図８の処理が行われることにより、撮像装置１では、撮像装置１を使用しているユーザの個人に応じた撮像系の設定処理が行われる。例えば個人の好みによる各種パラメータが設定されたり、各種の機能スペックが有効化又は無効化されたり、各種のソフトウエア動作が実行可能とされたりする。
即ち撮像装置１は、使用するユーザに応じて、そのユーザ個人が求める撮像動作、撮像機能が用意された撮像装置となる。
例えば基本的な機能しか使わないというユーザ、いろんな機能を駆使するユーザなどに応じた機能の実現や、各種ユーザ毎の撮像画質の好みに応じたパラメータ設定などが実行される。
特に生体情報をユーザ識別情報として用いることで、単にユーザが撮像装置１を装着する（或いは手に持つ）のみで、そのユーザにとって好適な撮像装置１となるようにすることができる。
【００７７】
［５．日時に応じた設定処理］
次に、日時に応じた設定処理例を図９，図１０で説明する。
図９は、図３の撮像装置１におけるシステムコントローラ１０の処理を示している。
【００７８】
システムコントローラ１０は、図９のステップＦ２００で、まずエントリされている日時情報を設定情報格納部２４から取得する。エントリされている日時情報とは、設定情報格納部２４の日時対応設定情報テーブル５３に登録されている特定の日時（時刻、週、日、期間、季節、朝昼晩夜など）の情報である。即ち、対応する設定情報が示されている特定の日時の情報である。
【００７９】
システムコントローラ１０は、ステップＦ２０１では、日時計数部１８によって計数されている現在日時（年月日時分秒）を確認する。
そしてステップＦ２０２で、現在日時が、エントリされている日時情報の少なくとも１つに該当する日時であるか否かを判断する。
該当する日時でなければ、ステップＦ２０５を介してステップＦ２０１に戻る。
【００８０】
現在日時が、エントリされている日時であったら、システムコントローラ１０はステップＦ２０２からＦ２０３に進む。そして、設定情報格納部２４における日時対応設定情報テーブル５３を参照して現在日時（エントリされている日時）に対応する設定情報を判別し、その日時対応設定情報テーブル５３に示された設定情報を、設定情報記憶領域５０から読み出す。
そしてステップＦ２０４で、設定情報格納部２４から読み出した設定情報に基づいて、撮像系の設定処理を行う。
【００８１】
以上の処理をステップＦ２０５で終了と判断されるまで繰り返す。なお、ステップＦ２０５で終了とされるのは、例えば撮像装置１が電源オフとされる場合、ユーザが撮像装置１の装着を外した場合、或いは、この図９の自動設定制御の機能がオフとされる場合などとすればよい。
【００８２】
次に図１０で、図４の撮像装置１と図５のサーバ装置７０による処理例を述べる。
この場合、サーバ装置７０のサーバ制御部７２は、ステップＦ２４０として、まずエントリされている日時情報を設定情報格納部７１から取得する。この場合もエントリされている日時情報とは、設定情報格納部７２の日時対応設定情報テーブル５３に登録されている特定の日時（時刻、週、日、期間、季節、朝昼晩夜など）の情報である。
【００８３】
サーバ制御部７２は、ステップＦ２４１では、日時計数部７４によって計数されている現在日時（年月日時分秒）を確認する。
そしてステップＦ２４２で、現在日時が、エントリされている日時情報の少なくとも１つに該当する日時であるか否かを判断する。
該当する日時でなければ、ステップＦ２４６を介してステップＦ２４１に戻る。
【００８４】
現在日時が、エントリされている日時であったら、サーバ制御部７２はステップＦ２４２からＦ２４３に進む。そして、設定情報格納部７１における日時対応設定情報テーブル５３を参照して現在日時（エントリされている日時）に対応する設定情報を判別し、その日時対応設定情報テーブル５３に示された設定情報を、設定情報記憶領域５０から読み出す。
そしてサーバ制御部７２は、ステップＦ２４４で、撮像装置１に対してダウンロード通知を行う。即ち通信部７３から撮像装置１に対して、設定情報のダウンロード送信を行う旨を通知し、撮像装置１側に対応処理を求める。
そしてステップＦ２４５で、設定情報格納部７１から読み出した設定情報を撮像装置１に対してダウンロード送信する。
【００８５】
撮像装置１側では、システムコントローラ１０は、ステップＦ２２０でダウンロード通知を受信したら、処理をステップＦ２２１に進め、サーバ装置７０のステップＦ２４５の処理により送信されてくる設定情報のダウンロード処理を実行する。
そしてダウンロード処理が完了し、設定情報を取得したら、システムコントローラ１０はステップＦ２２２で、取得した設定情報に基づいて、撮像系の設定処理を行う。
【００８６】
サーバ制御部７２はステップＦ２４５でのダウンロード送信を完了したら、ステップＦ２４６でダウンロードサービス停止とされるまでは、ステップＦ２４１に戻り、同様の処理を繰り返す。
また撮像装置１のシステムコントローラ１０は、ステップＦ２２０〜Ｆ２２２の処理を、ステップＦ２２３で終了と判断されるまで繰り返す。ステップＦ２２３で終了とされるのは、例えば撮像装置１が電源オフとされる場合、ユーザが撮像装置１の装着を外した場合、或いは、この図１０の自動設定制御の機能がオフとされる場合などである。
【００８７】
以上の図９又は図１０の処理が行われることにより、撮像装置１では、特定の時刻、特定の週、特定の日、特定の期間、特定の時刻、季節、朝昼晩夜などに応じて、適切な撮像動作設定が実行される。
例えば朝、昼、晩などの時間帯における外界の明るさ状況に応じて撮像感度、輝度処理等のパラメータが自動的に設定されるようにすることができる。
また、特定の時間帯にのみ、特定の機能（例えば暗視機能、紫外線撮像機能等）や特定の画像処理プログラムを有効化したり、或いは無効化したりすることもできる。
また特定の時間帯に撮像禁止とすることもできる。
また春夏秋冬の季節に応じて、画像処理パラメータやエフェクト設定を行い、季節感のある画像撮像を行うようにすることもできる。例えば春は画像にソフトフォーカスを加えたり、夏は輝度レベルを上昇させたり、秋は秋らしい色合いの画像処理を行うなどである。もちろん、一日のうちで、早朝、朝、昼、晩、深夜などに応じた画像処理を行うことも同様に考えられる。
【００８８】
なお、図１０の処理においては、サーバ装置７０側で現在日時を確認し、エントリされた日時においてサーバ装置７０側から撮像装置１にダウンロードの受け入れを求めるようにしたが、逆に撮像装置１側で予めサーバ装置７０側からエントリされている日時情報を取得しておき、撮像装置１側で現在日時を確認し、エントリされた日時においてサーバ装置７０に対してダウンロード要求を行うようにしても良い。
【００８９】
［６．位置に応じた設定処理］
次に、位置に応じた設定処理例を図１１，図１２で説明する。
図１１は、図３の撮像装置１におけるシステムコントローラ１０の処理を示している。
【００９０】
システムコントローラ１０は、図１１のステップＦ３００で、まずエントリされている位置情報を設定情報格納部２４から取得する。エントリされている位置情報とは、設定情報格納部２４の位置対応設定情報テーブル５４に登録されている位置情報であり、特定の場所や非特定の場所を示す位置情報である。
特定の場所としては、例えば公園、遊園地、競技場、スタジアム、テーマパーク、美術館、コンサートホール、店舗、イベント会場、駅、などの各種の施設や、観光地、市町村、地区などとしての特定の場所である。
非特定の場所としては、例えば海岸、山間部、高原、都市部、高速道路などに相当する場所の位置情報である。
そして、これらの位置情報は、緯度・経度の情報（或いは緯度・経度の範囲の情報）として、位置対応設定情報テーブル５４にエントリされていればよい。
【００９１】
システムコントローラ１０は、ステップＦ３０１では、ＧＰＳ受信部１９で検出される現在の位置情報（緯度・経度）を確認する。
そしてステップＦ３０２で、現在位置が、エントリされている位置情報の少なくとも１つに該当する位置であるか否かを判断する。
該当する位置でなければ、ステップＦ３０５を介してステップＦ３０１に戻る。
【００９２】
現在位置が、エントリされている位置であったら、システムコントローラ１０はステップＦ３０２からＦ３０３に進む。そして、設定情報格納部２４における位置対応設定情報テーブル５４を参照して現在位置（エントリされている位置）に対応する設定情報を判別し、その位置対応設定情報テーブル５４に示された設定情報を、設定情報記憶領域５０から読み出す。
そしてステップＦ３０４で、設定情報格納部２４から読み出した設定情報に基づいて、撮像系の設定処理を行う。
【００９３】
以上の処理をステップＦ３０５で終了と判断されるまで繰り返す。なお、ステップＦ３０５で終了とされるのは、例えば撮像装置１が電源オフとされる場合、ユーザが撮像装置１の装着を外した場合、或いは、この図１１の自動設定制御の機能がオフとされる場合などとすればよい。
【００９４】
次に図１２で、図４の撮像装置１と図５のサーバ装置７０による処理例を述べる。
この場合、サーバ装置７０のサーバ制御部７２は、ステップＦ３４０として、まずエントリされている位置情報を設定情報格納部７１から取得する。この場合もエントリされている位置情報とは、設定情報格納部７２の位置対応設定情報テーブル５４に登録されている位置情報である。
【００９５】
一方、撮像装置１のシステムコントローラ１０は、ステップＦ３２０で、ＧＰＳ受信部１９で検出される現在の位置情報（緯度・経度）を確認する。そしてステップＦ３２１で、検出した現在位置情報を、通信部２６からサーバ装置７０に対して送信させる。
サーバ装置７０側では通信部７３により、撮像装置１から送信されてきた現在位置情報を受信し、サーバ制御部７２はステップＦ３４１で現在位置情報を取り込む。
そしてサーバ制御部７２は、ステップＦ３４２で、撮像装置１の現在位置が、エントリされている位置情報の少なくとも１つに該当する場所であるか否かを判断する。
該当する位置でなければ、ステップＦ３４６を介してステップＦ２４１に戻る。
【００９６】
現在位置が、エントリされている位置であったら、サーバ制御部７２はステップＦ３４２からＦ３４３に進む。そして、設定情報格納部７１における位置対応設定情報テーブル５４を参照して撮像装置１の現在位置（エントリされている位置）に対応する設定情報を判別し、その位置対応設定情報テーブル５４に示された設定情報を、設定情報記憶領域５０から読み出す。
そしてサーバ制御部７２は、ステップＦ３４４で、撮像装置１に対してダウンロード通知を行う。即ち通信部７３から撮像装置１に対して、設定情報のダウンロード送信を行う旨を通知し、撮像装置１側に対応処理を求める。
そしてステップＦ３４５で、設定情報格納部７１から読み出した設定情報を撮像装置１に対してダウンロード送信する。
【００９７】
撮像装置１側では、システムコントローラ１０は、ステップＦ３２２でダウンロード通知を受信したら、処理をステップＦ３２３に進め、サーバ装置７０のステップＦ３４５の処理により送信されてくる設定情報のダウンロード処理を実行する。
そしてダウンロード処理が完了し、設定情報を取得したら、システムコントローラ１０はステップＦ３２４で、取得した設定情報に基づいて、撮像系の設定処理を行う。
【００９８】
サーバ制御部７２はステップＦ３４５でのダウンロード送信を完了したら、ステップＦ３４６でダウンロードサービス停止とされるまでは、ステップＦ３４１に戻り、同様の処理を繰り返す。
また撮像装置１のシステムコントローラ１０は、ステップＦ３２０〜Ｆ３２４の処理を、ステップＦ３２５で終了と判断されるまで繰り返す。ステップＦ３２５で終了とされるのは、例えば撮像装置１が電源オフとされる場合、ユーザが撮像装置１の装着を外した場合、或いは、この図１２の自動設定制御の機能がオフとされる場合などである。
【００９９】
以上の図１１又は図１２の処理が行われることにより、撮像装置１では、位置（場所）に応じて、適切な撮像動作設定が実行される。
例えば海岸、海上、山間部、都市部などに応じて好適な撮像パラメータが自動的に設定されるようにすることができる。
また地区環境に応じて、雰囲気を合わせた画像エフェクトを行うことなども可能である。例えば歴史施設内で、画像がセピア色となるような画像エフェクトを加えるなどである。
また、特定の場所などで特定の機能や特定の画像処理プログラムを有効化したり、或いは無効化したりすることもできる。
例えば特定の競技場で高フレームレート撮像を可能としたり、或るコンサートホールで撮像を禁止したり、或るテーマパーク、店舗、イベント会場などの特定の場所において暗視機能や特定の画像処理プログラムを有効化したりするなどである。
【０１００】
［７．日時・位置に応じた設定処理］
次に、日時及び位置に応じた設定処理例を図１３，図１４で説明する。
図１３は、図３の撮像装置１におけるシステムコントローラ１０の処理を示している。
【０１０１】
システムコントローラ１０は、図１３のステップＦ４００で、まずエントリされている日時・位置情報を設定情報格納部２４から取得する。エントリされている日時・位置情報とは、設定情報格納部２４の日時・位置対応設定情報テーブル５５に登録されている日時情報と位置情報の組み合わせの情報である。つまり、或る特定の日時と場所を示す情報が１つのエントリとなる。具体的には、或る日時（特定の日時や時間帯等）と、緯度・経度の情報（或いは緯度・経度の範囲の情報）の組み合わせである。
【０１０２】
システムコントローラ１０は、ステップＦ４０１では、日時計数部１８によって計数されている現在日時（年月日時分秒）を確認する。またステップＦ４０２で、ＧＰＳ受信部１９で検出される現在の位置情報（緯度・経度）を確認する。
そしてステップＦ４０３で、現在の日時及び位置が、エントリされている日時・位置情報の少なくとも１つに該当する日時及び位置であるか否かを判断する。
該当する日時及び位置でなければ、ステップＦ４０６を介してステップＦ４０１に戻る。
【０１０３】
現在の日時及び位置が、エントリされている日時及び位置であったら、システムコントローラ１０はステップＦ４０３からＦ４０４に進む。そして、設定情報格納部２４における日時・位置対応設定情報テーブル５５を参照して現在の日時及び位置（エントリされている日時及び位置）に対応する設定情報を判別し、その日時・位置対応設定情報テーブル５５に示された設定情報を、設定情報記憶領域５０から読み出す。
そしてステップＦ４０５で、設定情報格納部２４から読み出した設定情報に基づいて、撮像系の設定処理を行う。
【０１０４】
以上の処理をステップＦ４０６で終了と判断されるまで繰り返す。ステップＦ４０６で終了とされるのは、例えば撮像装置１が電源オフとされる場合、ユーザが撮像装置１の装着を外した場合、或いは、図１３の自動設定制御の機能がオフとされる場合などである。
【０１０５】
次に図１４で、図４の撮像装置１と図５のサーバ装置７０による処理例を述べる。
この場合、サーバ装置７０のサーバ制御部７２は、ステップＦ４４０として、まずエントリされている日時・位置情報を設定情報格納部７１から取得する。この場合もエントリされている日時・位置情報とは、設定情報格納部７２の日時・位置対応設定情報テーブル５５に登録されている日時情報と位置情報の組合わせの情報である。
【０１０６】
撮像装置１のシステムコントローラ１０は、ステップＦ４２０では、ＧＰＳ受信部１９で検出される現在の位置情報（緯度・経度）を確認する。
そしてステップＦ４２１で、検出した現在位置情報を、通信部２６からサーバ装置７０に対して送信させる。
サーバ装置７０側では通信部７３により、撮像装置１から送信されてきた現在位置情報を受信し、サーバ制御部７２はステップＦ４４１で現在位置情報を取り込む。
またサーバ制御部７２はステップＦ４４２で、日時計数部７４で計数されている現在日時を確認する。
そしてサーバ制御部７２は、ステップＦ４４３で、撮像装置１の現在位置及び現在日時が、エントリされている日時・位置情報の少なくとも１つに該当するか否かを判断する。
該当する日時及び位置でなければ、ステップＦ４４７を介してステップＦ４４１に戻る。
【０１０７】
現在日時及び撮像装置１の現在位置が、エントリされている日時・位置であったら、サーバ制御部７２はステップＦ４４３からＦ４４４に進む。そして、設定情報格納部７１における日時・位置対応設定情報テーブル５５を参照して、現在日時と撮像装置１の現在位置（エントリされている日時及び位置）に対応する設定情報を判別し、その日時・位置対応設定情報テーブル５５に示された設定情報を、設定情報記憶領域５０から読み出す。
そしてサーバ制御部７２は、ステップＦ４４５で、撮像装置１に対してダウンロード通知を行う。即ち通信部７３から撮像装置１に対して、設定情報のダウンロード送信を行う旨を通知し、撮像装置１側に対応処理を求める。
そしてステップＦ４４６で、設定情報格納部７１から読み出した設定情報を撮像装置１に対してダウンロード送信する。
【０１０８】
撮像装置１側では、システムコントローラ１０は、ステップＦ４２２でダウンロード通知を受信したら、処理をステップＦ４２３に進め、サーバ装置７０のステップＦ４４６の処理により送信されてくる設定情報のダウンロード処理を実行する。
そしてダウンロード処理が完了し、設定情報を取得したら、システムコントローラ１０はステップＦ４２４で、取得した設定情報に基づいて、撮像系の設定処理を行う。
【０１０９】
サーバ制御部７２はステップＦ４４６でのダウンロード送信を完了したら、ステップＦ４４７でダウンロードサービス停止とされるまでは、ステップＦ４４１に戻り、同様の処理を繰り返す。
また撮像装置１のシステムコントローラ１０は、ステップＦ４２０〜Ｆ４２４の処理を、ステップＦ４２５で終了（例えば電源オフ等による動作終了）と判断されるまで繰り返す。
【０１１０】
以上の図１３又は図１４の処理が行われることにより、撮像装置１では、日時と位置（場所）に応じて、適切な撮像動作設定が実行される。
例えば特定の観光地や山岳、浜辺、公園などにおいて、春夏秋冬や月日の別に応じて、それぞれ好適な撮像パラメータが自動的に設定されるようにすることができる。
また或るイベント会場、コンサートホールなどにおいて、特定の時間帯のみ、特殊な画像エフェクトを加えた撮像が行われるようにすることができる。
また、コンサートホール、劇場等の特定の場所で、特定の時間帯のみ撮像禁止、或いは特定の時間帯のみ撮像許可とするようなことも可能である。
【０１１１】
［８．ユーザ選択による設定処理］
次に、ユーザ選択による設定処理例を図１５，図１６で説明する。
図１５は、図３の撮像装置１におけるシステムコントローラ１０の処理を示している。
【０１１２】
システムコントローラ１０は、ステップＦ５０７で終了（例えば電源オフ等による終了）と判断されるまでの期間、ステップＦ５００でユーザの設定選択要求操作の有無を監視している。
ユーザが操作入力部２０からの設定選択要求操作を行った場合、システムコントローラ１０はステップＦ５０１に進み、選択リスト情報を設定情報格納部２４から取得する。選択リスト情報とは、選択用設定情報テーブル５６に登録されている、ユーザが指定可能な選択項目（つまりそれぞれが対応する設定情報が示されている選択項目）の一覧情報である。
【０１１３】
選択リスト情報を取得したら、システムコントローラ１０はステップＦ５０２で、表示部２に選択リスト情報に基づく選択リスト表示を実行させる。そしてステップＦ５０３，Ｆ５０４でユーザ操作を待機する。
ユーザは表示部２に表示された選択リストを見て、自分が望む選択項目を選択する操作を行う。
なお、ユーザがキャンセル操作を行った場合は、システムコントローラ１０は処理をステップＦ５０４からＦ５０７→Ｆ５００と進める。
【０１１４】
ユーザが或る選択項目について選択決定操作を行った場合は、システムコントローラ１０はユーザによる選択項目の指定情報が得られたとして、処理をステップＦ５０３からＦ５０５に進める。そして、設定情報格納部２４における選択用設定情報テーブル５６を参照して、ユーザが指定した項目に対応する設定情報を判別し、その設定情報を、設定情報記憶領域５０から読み出す。
そしてステップＦ５０６で、設定情報格納部２４から読み出した設定情報に基づいて、撮像系の設定処理を行う。
【０１１５】
次に図１６で、図４の撮像装置１と図５のサーバ装置７０による処理例を述べる。
この場合、サーバ装置７０のサーバ制御部７２は、ステップＦ５４０として、まず選択リスト情報を設定情報格納部７１から取得する。
【０１１６】
システムコントローラ１０は、ステップＦ５２９で終了（例えば電源オフ等による終了）と判断されるまでの期間、ステップＦ５２０でユーザの設定選択要求操作の有無を監視している。
ユーザが操作入力部２０からの設定選択要求操作を行った場合、システムコントローラ１０はステップＦ５２１に進み、リスト要求を、通信部２６からサーバ装置７０に対して送信させる。
サーバ装置７０側では通信部７３により、撮像装置１から送信されてきたリスト要求を受信する。サーバ制御部７２はステップＦ５４１でリスト要求の受信を確認したら、ステップＦ５４２で選択リスト情報の送信を行う。即ち通信部７３から撮像装置１に対して選択リスト情報の送信を実行させる。
【０１１７】
撮像装置１側では、サーバ装置７０側から送信されてきた選択リスト情報を受信し、ステップＦ５２２でシステムコントローラ１０は受信した選択リスト情報を取り込む。
選択リスト情報を取得したら、システムコントローラ１０はステップＦ５２３で、表示部２に選択リスト情報に基づく選択リスト表示を実行させる。そしてステップＦ５２４，Ｆ５２５でユーザ操作を待機する。
ユーザは表示部２に表示された選択リストを見て、自分が望む選択項目を選択する操作を行う。
なお、ユーザがキャンセル操作を行った場合は、システムコントローラ１０は処理をステップＦ５２５からＦ５２９を介してＦ５２０と進める。
【０１１８】
ユーザが或る選択項目について選択決定操作を行った場合は、システムコントローラ１０はユーザによる選択項目の指定情報が得られたとして、処理をステップＦ５２４からＦ５２６に進める。そしてサーバ装置７０に対してダウンロード要求を送信させる。即ちユーザが選択決定した選択項目の指定情報とダウンロード要求の情報を、通信部２６からサーバ装置７０に対して送信させる。
サーバ装置７０側では通信部７３により、撮像装置１から送信されてきたダウンロード要求を受信する。サーバ制御部７２はステップＦ５４３でダウンロード要求の受信を確認したら、ステップＦ５４４に進み、設定情報格納部７１を参照して、ダウンロード要求において示された選択項目の指定情報に対応する設定情報を判別し、その設定情報を、設定情報記憶領域５０から読み出す。
そしてサーバ制御部７２は、ステップＦ５４５で、設定情報格納部７１から読み出した設定情報を撮像装置１に対してダウンロード送信する。
【０１１９】
撮像装置１側では、システムコントローラ１０は、ステップＦ５２７で、サーバ装置７０のステップＦ５４５の処理により送信されてくる設定情報のダウンロード処理を実行する。
そしてダウンロード処理が完了し、設定情報を取得したら、システムコントローラ１０はステップＦ５２８で、取得した設定情報に基づいて、撮像系の設定処理を行う。
【０１２０】
サーバ制御部７２はステップＦ５４５でのダウンロード送信を完了したら、ステップＦ５４６でダウンロードサービス停止とされるまでは、ステップＦ５４１に戻り、同様の処理を繰り返す。
また撮像装置１のシステムコントローラ１０は、ステップＦ５２０〜Ｆ５２８の処理を、ステップＦ５２９で終了（例えば電源オフ等による動作終了）と判断されるまで繰り返す。
【０１２１】
以上の図１５又は図１６の処理が行われることにより、撮像装置１では、ユーザ選択に基づく撮像動作設定が実行される。
例えばプロカメラマンＡ氏、Ｂ氏、Ｃ氏が好む撮像動作、画像処理動作に関するパラメータ群や機能などとしての設定を用意する。そして選択項目としてＡ氏風の撮像、Ｂ氏風の撮像、Ｃ氏風の撮像などを用意し、これらをユーザに提示して選択させる。このようにすれば、ユーザは自分が好きなカメラマンが推奨する撮像や、似た風合いの撮像を行うことができる。
また、各種のカメラメーカでの撮像画質の違いなどに応じたパラメータ群等の設定を用意し、これらをユーザに提示して選択させるようにすれば、ユーザの好みのメーカの撮像を行うことができるようになる。
また、性別や年齢などに応じたパラメータ群等の設定を用意し、これらをユーザに提示して選択させるようにしてもよい。
【０１２２】
［９．生体状況に応じた設定処理］
次に、生体状況に応じた設定処理例を図１７，図１８で説明する。
図１７は、図３の撮像装置１におけるシステムコントローラ１０の処理を示している。
【０１２３】
システムコントローラ１０は、図１７のステップＦ６００で、まずエントリされている生体状況情報を設定情報格納部２４から取得する。エントリされている生体状況情報とは、設定情報格納部２４の生体状況対応設定情報テーブル５７に登録されている生体状況情報である。生体状況情報とは、ユーザの身体や感情の状況の情報であり、例えば楽しい、おもしろい、うれしい、悲しい、恐ろしい、穏やか、懐かしい、感動、驚愕、興奮、緊張などの感情や、静止中、歩行中、走行中、運動中、就寝中などユーザ動作を示す情報である。
【０１２４】
システムコントローラ１０は、ステップＦ６０１でユーザの生体状況を確認する。即ち、生体センサ２１で検出される上述した各種の生体情報や、或いは加速度センサ、角速度センサ、振動センサ等の検出情報から、ユーザの身体や感情の状況を判定する。
そしてステップＦ６０２で、現在のユーザの生体状況が、エントリされている生体状況情報の少なくとも１つに該当するか否かを判断する。
該当する生体状況でなければ、ステップＦ６０５を介してステップＦ６０１に戻る。
【０１２５】
現在のユーザの生体状況が、エントリされている生体状況に該当したら、システムコントローラ１０はステップＦ６０２からＦ６０３に進む。そして、設定情報格納部２４における生体状況対応設定情報テーブル５７を参照して現在の生体状況（エントリされている生体状況）に対応する設定情報を判別し、その設定情報を、設定情報記憶領域５０から読み出す。
そしてステップＦ６０４で、設定情報格納部２４から読み出した設定情報に基づいて、撮像系の設定処理を行う。
以上の処理をステップＦ６０５で終了（例えば電源オフ等による終了）と判断されるまで繰り返す。
【０１２６】
次に図１８で、図４の撮像装置１と図５のサーバ装置７０による処理例を述べる。
この場合、サーバ装置７０のサーバ制御部７２は、ステップＦ６４０として、まずエントリされている生体状況情報を設定情報格納部７１から取得する。この場合もエントリされている生体状況情報とは、設定情報格納部７２の生体状況対応設定情報テーブル５７に登録されている生体状況情報である。
【０１２７】
撮像装置１のシステムコントローラ１０は、ステップＦ６２０でユーザの生体状況を確認する。
次にステップＦ６２１で、検出した現在のユーザの生体状況情報を、通信部２６からサーバ装置７０に対して送信させる。
サーバ装置７０側では通信部７３により、撮像装置１から送信されてきたユーザの生体状況情報を受信し、サーバ制御部７２はステップＦ６４１でその生体状況情報を取り込む。
そしてサーバ制御部７２は、ステップＦ６４２で、撮像装置１のユーザの生体状況が、エントリされている生体状況の少なくとも１つに該当するか否かを判断する。
該当する生体状況でなければ、ステップＦ６４６を介してステップＦ６４１に戻る。
【０１２８】
撮像装置１のユーザの生体状況が、エントリされている生体状況に該当したら、サーバ制御部７２はステップＦ６４２からＦ６４３に進む。そして、設定情報格納部７１における生体状況対応設定情報テーブル５７を参照して、撮像装置１のユーザの生体状況（エントリされている生体状況）に対応する設定情報を判別し、その設定情報を、設定情報記憶領域５０から読み出す。
そしてサーバ制御部７２は、ステップＦ６４４で、撮像装置１に対してダウンロード通知を行う。即ち通信部７３から撮像装置１に対して、設定情報のダウンロード送信を行う旨を通知し、撮像装置１側に対応処理を求める。
その後ステップＦ６４５で、設定情報格納部７１から読み出した設定情報を撮像装置１に対してダウンロード送信する。
【０１２９】
撮像装置１側では、システムコントローラ１０は、ステップＦ６２２でダウンロード通知を受信したら、処理をステップＦ６２３に進め、サーバ装置７０のステップＦ６４５の処理により送信されてくる設定情報のダウンロード処理を実行する。
そしてダウンロード処理が完了し、設定情報を取得したら、システムコントローラ１０はステップＦ６２４で、取得した設定情報に基づいて、撮像系の設定処理を行う。
【０１３０】
サーバ制御部７２はステップＦ６４５でのダウンロード送信を完了したら、ステップＦ６４６でダウンロードサービス停止とされるまでは、ステップＦ６４１に戻り、同様の処理を繰り返す。
また撮像装置１のシステムコントローラ１０は、ステップＦ６２０〜Ｆ６２４の処理を、ステップＦ６２５で終了（例えば電源オフ等による動作終了）と判断されるまで繰り返す。
【０１３１】
以上の図１７又は図１８の処理が行われることにより、撮像装置１では、ユーザの感情や動作等の状況に応じて、撮像動作設定が実行される。つまり感情や動作に応じて各種パラメータ設定、機能の有効化／無効化、画像処理プログラムの起動などが行われる。
例えばユーザが楽しいときには明るい画質の撮像、悲しいときには暗めの画質の撮像などが行われるようにすることができる。
また、或る感情状態のときに、画像エフェクトを行うこともできる。例えば驚いたときに驚きを表現するような画像エフェクトを撮像画像に加えるなどである。
またユーザが静止しているときと走っているときで、フレームレートを変化させるなどすることや、ブレ補正の補正量を変化させることなどにより、ユーザの動作にかかわらず、品質の良い画像撮像を行うことなども可能である。
【０１３２】
［１０．実施の形態の効果、及び変形例、拡張例］
以上、実施の形態の撮像装置１（撮像装置１及びサーバ装置７０）によれば、ユーザが撮像を行う際に、ユーザ個人に合わせた撮像動作設定、ユーザの嗜好に合わせた撮像動作設定、日時、場所などの状況に合わせた撮像動作設定、ユーザの身体状況や感情に合わせた撮像動作設定などが行われる。
これにより上述した例のように、ユーザの好みや各種状況に合わせた撮像、面白みのある撮像、状況に応じた効果的な撮像、或いは状況に合わせた撮像制限などが可能となり、多様なユーザや状況に好適に対応した撮像動作を実現できる。
【０１３３】
実施の形態において、設定処理の例としては、ユーザ判別による設定処理、日時に応じた設定処理、位置に応じた設定処理、日時・位置に応じた設定処理、ユーザ選択による設定処理、生体状況に応じた設定処理を述べた。つまり設定の選択条件として、ユーザ個人、日時、位置、日時及び位置、ユーザ選択、生体状況を挙げたが、これら以外の選択条件に基づく設定処理例も考えられる。
例えば外界の天候状況を選択条件として検出し、天候に応じた設定を行うようにしてもよい。同様に、外界の気温、湿度などを選択条件として検出し、これらに応じた設定を行うことも考えられる。
これら、他の選択条件を用いる場合は、撮像装置１において（もしくはサーバ装置７０側において）、その選択条件を検出するセンサ手段や情報取得手段が設けられればよい。
【０１３４】
また、各種の選択条件の組み合わせによる設定処理も多様に考えられる。
ユーザ判別と位置を組み合わせれば、特定のユーザが使用する場合のみ特定の位置において或る設定処理が行われるようにすることができる。
ユーザ判別と日時を組み合わせれば、特定のユーザが特定の日時に使用する場合のみ或る設定処理が行われるようにすることができる。
またユーザ選択による設定を行う場合に、ユーザ判別を行い、ユーザ毎にが選択可能な選択項目を異なるものとすることもできる。
【０１３５】
また設定処理の設定対象としてのパラメータ、スペックデータ、アルゴリズムソフトウエア等も、上述した以外に多様な具体例が考えられる。
また、撮像装置１として、図３，図４の構成を共に備え、撮像装置内部で設定情報を得るための設定情報格納部２４と、外部のサーバ装置７０における設定情報格納部７１からの設定情報を得るための通信部２６の両方を備えるようにした場合、内部の設定情報格納部２４、外部の設定情報格納部７１のどちらから設定情報を取得するかの処理方式は多様に考えられる。
例えば利用する選択条件に応じて内部／外部を選んでも良いし、ユーザ選択により選んでも良い。更には通信状況に応じて選んでも良い。
【図面の簡単な説明】
【０１３６】
【図１】本発明の実施の形態の撮像装置の外観例の説明図である。
【図２】実施の形態の撮像システムの構成の説明図である。
【図３】実施の形態の撮像装置のブロック図である。
【図４】実施の形態の撮像装置の他のブロック図である。
【図５】実施の形態のサーバ装置のブロック図である。
【図６】実施の形態の設定情報格納部の説明図である。
【図７】実施の形態のユーザ判別による設定処理のフローチャートである。
【図８】実施の形態のユーザ判別による設定処理のフローチャートである。
【図９】実施の形態の日時に応じた設定処理のフローチャートである。
【図１０】実施の形態の日時に応じた設定処理のフローチャートである。
【図１１】実施の形態の位置に応じた設定処理のフローチャートである。
【図１２】実施の形態の位置に応じた設定処理のフローチャートである。
【図１３】実施の形態の日時・位置に応じた設定処理のフローチャートである。
【図１４】実施の形態の日時・位置に応じた設定処理のフローチャートである。
【図１５】実施の形態のユーザ選択による設定処理のフローチャートである。
【図１６】実施の形態のユーザ選択による設定処理のフローチャートである。
【図１７】実施の形態の生体状況に応じた設定処理のフローチャートである。
【図１８】実施の形態の生体状況に応じた設定処理のフローチャートである。
【符号の説明】
【０１３７】
１  撮像装置、２  表示部、３  撮像部、１０  システムコントローラ、１１  撮像制御部、１２  表示画像処理部、１３  表示駆動部、１４  表示制御部、１５  撮像信号処理部、１８，７４  日時計数部、１９  ＧＰＳ受信部、２０  操作入力部、２１  生体センサ、２４，７１  設定情報格納部、２５  ストレージ部、２６，７３  通信部、７０  サーバ装置、７２  サーバ制御部
【図１】
2008124885.tif 000003
【図２】
2008124885.tif 000004
【図３】
2008124885.tif 000005
【図４】
2008124885.tif 000006
【図５】
2008124885.tif 000007
【図６】
2008124885.tif 000008
【図７】
2008124885.tif 000009
【図８】
2008124885.tif 000010
【図９】
2008124885.tif 000011
【図１０】
2008124885.tif 000012
【図１１】
2008124885.tif 000013
【図１２】
2008124885.tif 000014
【図１３】
2008124885.tif 000015
【図１４】
2008124885.tif 000016
【図１５】
2008124885.tif 000017
【図１６】
2008124885.tif 000018
【図１７】
2008124885.tif 000019
【図１８】
2008124885.tif 000020